(57)【特許請求の範囲】
【請求項１】
個々のユーザの設定に応じて所定のウェブサイトに含まれるコンテンツを提供するコンテンツ提供システムであって、
ユーザに固有のユーザ識別情報を受信する受信手段と、
前記所定のウェブサイトの提供者により予めコンテンツを同種のコンテンツごとにまとめたシーンのうちユーザが選択したシーンの情報を含む登録情報を各ユーザのユーザ識別情報に対応付けて記憶する記憶手段と、
シーンを指定するユーザ情報が受信された場合に、前記受信手段によって受信されたユーザ識別情報に対応付けられて前記記憶手段に記憶された登録情報に含まれる前記シーンの情報のうち、前記ユーザ情報によって指定されたユーザ所望のシーンに属する複数のコンテンツを収集する収集手段と、
前記収集手段によって収集された前記複数のコンテンツのそれぞれの表題を示す複数の表題データを、前記収集手段によって収集されたコンテンツを用いて生成する表題データ生成手段と、
前記表題データ生成手段によって生成される前記複数の表題データのそれぞれの表題に対応付けられ、前記収集手段によって収集されたコンテンツの詳細な内容を示し、前記コンテンツの中身である詳細データを、前記収集手段によって収集されたコンテンツを用いて生成する詳細データ生成手段と、
前記表題データ生成手段によって生成される前記複数の表題データと、当該複数の表題データのそれぞれの表題に対応付けられて前記詳細データ生成手段によって生成される詳細データのうちユーザが詳細な内容の取得を希望する表題に対応付けられた詳細データとを含むページのデータを送信する送信手段と
を有することを特徴とするコンテンツ提供システム。
【請求項２】
前記表題データ生成手段は、
生成した表題データにおいて、前記詳細データ生成手段によって生成された詳細データに対応付けられる表題に所定のマークを付加することを特徴とする請求項１記載のコンテンツ提供システム。
【請求項３】
前記受信手段によって受信されたユーザ識別情報に対応付けられて前記記憶手段に記憶された登録情報を参照し、この登録情報に登録されたシーンの一覧データを生成するシーン一覧データ生成手段をさらに有し、
前記送信手段は、
ユーザがシーンの切り替えを希望する場合に、前記シーン一覧データ生成手段によって生成されたシーン一覧データを送信することを特徴とする請求項１又は２記載のコンテンツ提供システム。
【請求項４】
前記記憶手段は、
ユーザが選択したシーンの情報に加え、前記シーンに属するコンテンツであってユーザが選択したコンテンツの情報を登録情報として記憶することを特徴とする請求項１〜３のいずれか１項に記載のコンテンツ提供システム。
【請求項５】
前記送信手段は、
前記ページのデータを携帯端末装置へ送信することを特徴とする請求項１〜４のいずれか１項に記載のコンテンツ提供システム。
【請求項６】
個々のユーザの設定に応じて所定のウェブサイトに含まれるコンテンツを提供するコンテンツ提供方法であって、
前記コンピュータが、
ユーザに固有のユーザ識別情報を受信する受信工程と、
前記所定のウェブサイトの提供者により予めコンテンツを同種のコンテンツごとにまとめたシーンのうちユーザが選択したシーンの情報を含む登録情報を各ユーザのユーザ識別情報に対応付けて記憶するデータベースから、前記受信工程にて受信されたユーザ識別情報に対応付けられた登録情報を取得する取得工程と、
シーンを指定するユーザ情報が受信された場合に、前記取得工程により取得した登録情報に含まれる前記シーンの情報のうち、前記ユーザ情報によって指定されたユーザ所望のシーンに属する複数のコンテンツを収集する収集工程と、
前記収集工程によって収集された前記複数のコンテンツのそれぞれの表題を示す複数の表題データを、前記収集工程によって収集されたコンテンツを用いて生成する表題データ生成工程と、
前記表題データ生成工程によって生成される前記複数の表題データのそれぞれの表題に対応付けられ、前記収集工程によって収集されたコンテンツの詳細な内容を示し、前記コンテンツの中身である詳細データを、前記収集工程によって収集されたコンテンツを用いて生成する詳細データ生成工程と、
前記表題データ生成工程によって生成される前記複数の表題データと、当該複数の表題データのそれぞれの表題に対応付けられて前記詳細データ生成工程によって生成される詳細データのうちユーザが詳細な内容の取得を希望する表題に対応付けられた詳細データとを含むページのデータを送信する送信工程と
を実行することを特徴とするコンテンツ提供方法。
【請求項７】
前記表題データ生成工程にて生成された表題データにおいて、前記詳細データ生成工程にて生成された詳細データに対応付けられる表題に所定のマークを付加する付加工程をさらに前記コンピュータが実行することを特徴とする請求項６記載のコンテンツ提供方法。
【請求項８】
前記取得工程にて取得された登録情報に登録されたシーンの一覧データを生成するシーン一覧データ生成工程と、
ユーザがシーンの切り替えを希望する場合に、前記シーン一覧データ生成工程にて生成されたシーン一覧データを送信するシーン一覧データ送信工程と
をさらに前記コンピュータが実行することを特徴とする請求項６又は７記載のコンテンツ提供方法。
【請求項９】
前記データベースは、
ユーザが選択したシーンの情報に加え、前記シーンに属するコンテンツであってユーザが選択したコンテンツの情報を登録情報として記憶することを特徴とする請求項６〜８のいずれか１項に記載のコンテンツ提供方法。
【請求項１０】
前記送信工程は、
前記ページのデータを携帯端末装置へ送信することを特徴とする請求項６〜９のいずれか１項に記載のコンテンツ提供方法。
【請求項１１】
個々のユーザの設定に応じて所定のウェブサイトに含まれるコンテンツを提供するコンテンツ提供プログラムであって、
ユーザに固有のユーザ識別情報を受信する受信手順と、
前記所定のウェブサイトの提供者により予めコンテンツを同種のコンテンツごとにまとめたシーンのうちユーザが選択したシーンの情報を含む登録情報を各ユーザのユーザ識別情報に対応付けて記憶するデータベースから、前記受信手順にて受信されたユーザ識別情報に対応付けられた登録情報を取得する取得手順と、
シーンを指定するユーザ情報が受信された場合に、前記取得手順において取得した登録情報に含まれる前記シーンの情報のうち、前記ユーザ情報によって指定されたユーザ所望のシーンに属する複数のコンテンツを収集する収集手順と、
前記収集手順によって収集された前記複数のコンテンツのそれぞれの表題を示す複数の表題データを、前記収集手順によって収集されたコンテンツを用いて生成する表題データ生成手順と、
前記表題データ生成手順によって生成される前記複数の表題データのそれぞれの表題に対応付けられ、前記収集手順によって収集されたコンテンツの詳細な内容を示し、前記コンテンツの中身である詳細データを、前記収集手順によって収集されたコンテンツを用いて生成する詳細データ生成手順と、
前記表題データ生成手順によって生成される前記複数の表題データと、当該複数の表題データのそれぞれの表題に対応付けられて前記詳細データ生成手順によって生成される詳細データのうちユーザが詳細な内容の取得を希望する表題に対応付けられた詳細データとを含むページのデータを送信する送信手順と
をコンピュータに実行させることを特徴とするコンテンツ提供プログラム。
【請求項１２】
前記表題データ生成手順にて生成された表題データにおいて、前記詳細データ生成手順にて生成された詳細データに対応付けられる表題に所定のマークを付加する付加手順をさらにコンピュータに実行させることを特徴とする請求項１１に記載のコンテンツ提供プログラム。
【請求項１３】
前記取得手順にて取得された登録情報に登録されたシーンの一覧データを生成するシーン一覧データ生成手順と、
ユーザがシーンの切り替えを希望する場合に、前記シーン一覧データ生成手順にて生成されたシーン一覧データを送信するシーン一覧データ送信手順と
をさらにコンピュータに実行させることを特徴とする請求項１１又は１２に記載のコンテンツ提供プログラム。
【請求項１４】
前記データベースは、
ユーザが選択したシーンの情報に加え、前記シーンに属するコンテンツであってユーザが選択したコンテンツの情報を登録情報として記憶することを特徴とする請求項１１〜１３のいずれか１項に記載のコンテンツ提供プログラム。
【請求項１５】
前記送信手順は、
前記ページのデータを携帯端末装置へ送信することを特徴とする請求項１１〜１４のいずれか１項に記載のコンテンツ提供プログラム。
【発明の詳細な説明】
【技術分野】
【０００１】
本発明は、個々のユーザの設定に応じて所定のウェブサイトに含まれるコンテンツを提供するコンテンツ提供システム、コンテンツ提供方法、およびコンテンツ提供プログラムに関し、特に、画面サイズが制約されている場合でも利便性が高いポータルサイトを提供することができるコンテンツ提供システム、コンテンツ提供方法、およびコンテンツ提供プログラムに関する。
【背景技術】
【０００２】
近年、急速に発展しつつあるインターネット業界においては、独自のポータルサイトを運営するインターネット事業者が数多く存在している。ポータルサイトとは、インターネットの入り口として利用されるウェブサイトであり、多数のリンク集や検索エンジンなどから形成されている。
【０００３】
最近では、個々のユーザの設定に応じたポータルサイトを提供することが可能となっており(例えば特許文献１参照)、ページ構成やデザインなどをユーザがカスタマイズ可能なポータルサイトが増加している。このようなポータルサイトのユーザは、例えば、表示させるコンテンツを選択したり、頻繁に利用するコンテンツのリンクを見やすい位置に配置したりして、使い勝手の良い独自のポータルサイトを構築し、ブラウザを起動させたときに最初に表示されるホームページに設定することがある。
【０００４】
【特許文献１】特開２００２−３６６４７９号公報
【発明の開示】
【発明が解決しようとする課題】
【０００５】
ところで、携帯電話の普及に伴って、携帯電話などの携帯端末装置からウェブサイトにアクセスするユーザが増加している。また、インターネット事業者によっては、携帯電話専用のポータルサイトを提供している場合がある。
【０００６】
しかしながら、一般に携帯端末装置に設けられたディスプレイなどの表示部は、装置が小型化されればされるほど小さくなり、一画面中に表示することができる情報量が減少する。このため、ユーザがポータルサイトをカスタマイズして携帯端末装置に表示させても、画面サイズの制約から、使い勝手の向上には限界があるという問題がある。
【０００７】
特に、多くの情報をインターネットから入手するユーザは、ポータルサイトに表示を希望するコンテンツの量も多くなるが、文字や画像の視認性を損なうことなく携帯端末装置の一画面に表示可能な情報量には限界があるため、所望のコンテンツを確認するには画面をスクロールさせるなどの操作が必要となり、結果として利便性が損なわれてしまうことがある。
【０００８】
本発明はかかる点に鑑みてなされたものであり、画面サイズが制約されている場合でも利便性が高いポータルサイトを提供することができるコンテンツ提供システム、コンテンツ提供方法、およびコンテンツ提供プログラムを提供することを目的とする。
【課題を解決するための手段】
【０００９】
上記課題を解決するために、本発明は、個々のユーザの設定に応じて所定のウェブサイトに含まれるコンテンツを提供するコンテンツ提供システムであって、ユーザに固有のユーザ識別情報を受信する受信手段と、前記所定のウェブサイトの提供者により予めコンテンツを同種のコンテンツごとにまとめたシーンのうちユーザが選択したシーンの情報を含む登録情報を各ユーザのユーザ識別情報に対応付けて記憶する記憶手段と、シーンを指定するユーザ情報が受信された場合に、前記受信手段によって受信されたユーザ識別情報に対応付けられて前記記憶手段に記憶された登録情報に含まれる前記シーンの情報のうち、前記ユーザ情報によって指定されたユーザ所望のシーンに属する複数のコンテンツを収集する収集手段と、前記収集手段によって収集された前記複数のコンテンツのそれぞれの表題を示複数の表題データを、前記収集手段によって収集されたコンテンツを用いて生成する表題データ生成手段と、前記表題データ生成手段によって生成される前記複数の表題データのそれぞれの表題に対応付けられ、前記収集手段によって収集されたコンテンツの詳細な内容を示し、前記コンテンツの中身である詳細データを、前記収集手段によって収集されたコンテンツを用いて生成する詳細データ生成手段と、前記表題データ生成手段によって生成される前記複数の表題データと、当該複数の表題データのそれぞれの表題に対応付けられて前記詳細データ生成手段によって生成される詳細データのうちユーザが詳細な内容の取得を希望する表題に対応付けられた詳細データとを含むページのデータを送信する送信手段とを有することを特徴とする。
【００１２】
また、本発明は、上記発明において、前記表題データ生成手段は、生成した表題データにおいて、前記詳細データ生成手段によって生成された詳細データに対応付けられる表題に所定のマークを付加することを特徴とする。
【００１３】
また、本発明は、上記発明において、前記受信手段によって受信されたユーザ識別情報に対応付けられて前記記憶手段に記憶された登録情報を参照し、この登録情報に登録されたシーンの一覧データを生成するシーン一覧データ生成手段をさらに有し、前記送信手段は、ユーザがシーンの切り替えを希望する場合に、前記シーン一覧データ生成手段によって生成されたシーン一覧データを送信することを特徴とする。
【００１４】
また、本発明は、上記発明において、前記記憶手段は、ユーザが選択したシーンの情報に加え、前記シーンに属するコンテンツであってユーザが選択したコンテンツの情報を登録情報として記憶することを特徴とする。
【００１５】
また、本発明は、上記発明において、前記送信手段は、前記ページのデータを携帯端末装置へ送信することを特徴とする。
【００１６】
また、本発明は、個々のユーザの設定に応じて所定のウェブサイトに含まれるコンテンツを提供するコンテンツ提供方法であって、前記コンピュータが、ユーザに固有のユーザ識別情報を受信する受信工程と、前記所定のウェブサイトの提供者により予めコンテンツを同種のコンテンツごとにまとめたシーンのうちユーザが選択したシーンの情報を含む登録情報を各ユーザのユーザ識別情報に対応付けて記憶するデータベースから、前記受信工程にて受信されたユーザ識別情報に対応付けられた登録情報を取得する取得工程と、シーンを指定するユーザ情報が受信された場合に、前記取得工程により取得した登録情報に含まれる前記シーンの情報のうち、前記ユーザ情報によって指定されたユーザ所望のシーンに属する複数のコンテンツを収集する収集工程と、前記収集工程によって収集された前記複数のコンテンツのそれぞれの表題を示す複数の表題データを、前記収集工程によって収集されたコンテンツを用いて生成する表題データ生成工程と、前記表題データ生成工程によって生成される前記複数の表題データのそれぞれの表題に対応付けられ、前記収集工程によって収集されたコンテンツの詳細な内容を示し、前記コンテンツの中身である詳細データを、前記収集工程によって収集されたコンテンツを用いて生成する詳細データ生成工程と、前記表題データ生成工程によって生成される前記複数の表題データと、当該複数の表題データのそれぞれの表題に対応付けられて前記詳細データ生成工程によって生成される詳細データのうちユーザが詳細な内容の取得を希望する表題に対応付けられた詳細データとを含むページのデータを送信する送信工程とを実行することを特徴とする。
【００１９】
また、本発明は、上記発明において、前記表題データ生成工程にて生成された表題デー
タにおいて、前記詳細データ生成工程にて生成された詳細データに対応付けられる表題に
所定のマークを付加する付加工程をさらに前記コンピュータに実行させることを特徴とする。
【００２０】
また、本発明は、上記発明において、前記取得工程にて取得された登録情報に登録されたシーンの一覧データを生成するシーン一覧データ生成工程と、ユーザがシーンの切り替えを希望する場合に、前記シーン一覧データ生成工程にて生成されたシーン一覧データを送信するシーン一覧データ送信工程とをさらに前記コンピュータに実行させることを特徴とする。
【００２１】
また、本発明は、上記発明において、前記データベースは、ユーザが選択したシーンの情報に加え、前記シーンに属するコンテンツであってユーザが選択したコンテンツの情報を登録情報として記憶することを特徴とする。
【００２２】
また、本発明は、上記発明において、前記送信工程は、前記ページのデータを携帯端末装置へ送信することを特徴とする。
【００２３】
また、本発明は、個々のユーザの設定に応じて所定のウェブサイトに含まれるコンテンツを提供するコンテンツ提供プログラムであって、ユーザに固有のユーザ識別情報を受信する受信手順と、前記所定のウェブサイトの提供者により予めコンテンツを同種のコンテンツごとにまとめたシーンのうちユーザが選択したシーンの情報を含む登録情報を各ユーザのユーザ識別情報に対応付けて記憶するデータベースから、前記受信手順にて受信されたユーザ識別情報に対応付けられた登録情報を取得する取得手順と、シーンを指定するユーザ情報が受信された場合に、前記取得手順において取得した登録情報に含まれる前記シーンの情報のうち、前記ユーザ情報によって指定されたユーザ所望のシーンに属する複数のコンテンツを収集する収集手順と、前記収集手順によって収集された前記複数のコンテンツのそれぞれの表題を示す複数の表題データを、前記収集手順によって収集されたコンテンツを用いて生成する表題データ生成手順と、前記表題データ生成手順によって生成される前記複数の表題データのそれぞれの表題に対応付けられ、前記収集手順によって収集されたコンテンツの詳細な内容を示し、前記コンテンツの中身である詳細データを、前記収集手順によって収集されたコンテンツを用いて生成する詳細データ生成手順と、前記表題データ生成手順によって生成される前記複数の表題データと、当該複数の表題データのそれぞれの表題に対応付けられて前記詳細データ生成手順によって生成される詳細データのうちユーザが詳細な内容の取得を希望する表題に対応付けられた詳細データとを含むページのデータを送信する送信手順とをコンピュータに実行させることを特徴とする。
【００２６】
また、本発明は、上記発明において、前記表題データ生成手順にて生成された表題データにおいて、前記詳細データ生成手順にて生成された詳細データに対応付けられる表題に所定のマークを付加する付加手順をさらにコンピュータに実行させることを特徴とする。
【００２７】
また、本発明は、上記発明において、前記取得手順にて取得された登録情報に登録されたシーンの一覧データを生成するシーン一覧データ生成手順と、ユーザがシーンの切り替えを希望する場合に、前記シーン一覧データ生成手順にて生成されたシーン一覧データを送信するシーン一覧データ送信手順とをさらにコンピュータに実行させることを特徴とする。
【００２８】
また、本発明は、上記発明において、前記データベースは、ユーザが選択したシーンの情報に加え、前記シーンに属するコンテンツであってユーザが選択したコンテンツの情報を登録情報として記憶することを特徴とする。
【００２９】
また、本発明は、上記発明において、前記送信手順は、前記ページのデータを携帯端末装置へ送信することを特徴とする。
【発明の効果】
【００３０】
本発明によれば、ユーザに固有のユーザ識別情報を受信し、所定のウェブサイトの提供者により予めコンテンツを同種のコンテンツごとにまとめたシーンのうちユーザが選択したシーンの情報を含む登録情報を各ユーザのユーザ識別情報に対応付けて記憶するデータベースにおいて、シーンを指定するユーザ情報が受信された場合に、受信されたユーザ識別情報に対応付けられて記憶された登録情報に含まれるシーンの情報のうち、ユーザ情報によって指定されたユーザ所望のシーンに属する複数のコンテンツを収集し、収集された複数のコンテンツのそれぞれの表題を示す表題データを、収集されたコンテンツを用いて生成し、生成される表題データの各表題に対応付けられ、収集されたコンテンツの詳細な内容を示し、コンテンツの中身である詳細データを、収集されたコンテンツを用いて生成する。そして、ユーザが所望するシーンに属する複数のコンテンツのそれぞれの表題データと、複数の表題に対応付けられた詳細データのうちユーザが詳細な内容の取得を希望する表題に対応付けられた詳細データとを出力して送信する。このため、ウェブサイトに含まれるすべてのコンテンツが送信されるのではなく、シーンごとのコンテンツが送信され、ウェブサイトの表示の際、一度に表示される情報量を抑制することができ、画面サイズが制約されている場合でも利便性が高いポータルサイトを提供することができる。また、ユーザ所望のシーンが表示される際、表題データからシーンに含まれるコンテンツの表題を表示させるとともに、詳細データを表示させることができる。 
【００３２】
また、本発明によれば、各表題データとユーザが詳細な内容の取得を希望する表題に対応付けられた詳細データとを含むページのデータを送信するため、シーン表示に際して、ユーザが希望するコンテンツのみの詳細データが表示され、ユーザは、シーン全体のコンテンツの表題を把握しながら、希望するコンテンツの詳細な内容を閲覧することができる。結果として、画面をスクロールさせる操作などの必要が最小限に抑制され、利便性がさらに向上することができる。
【００３３】
また、本発明によれば、生成した表題データにおいて、詳細データに対応付けられる表題に所定のマークを付加するため、コンテンツの表題にマークが付加されているか否かを確認することにより、より詳細な内容があるコンテンツであるか否かを把握することができる。さらに、マークの形状等の変化によって、表題に対応する詳細データが表示中であるか否かを判別することも可能となる。
【００３４】
また、本発明によれば、受信されたユーザ識別情報に対応付けられて記憶された登録情報を参照し、この登録情報に登録されたシーンの一覧データを生成し、ユーザがシーンの切り替えを希望する場合に、生成されたシーン一覧データを送信する。このため、ユーザは、切り替えを希望するシーンを効率良く選択することができ、利便性をさらに向上することができる。
【００３５】
また、本発明によれば、ユーザが選択したシーンの情報に加え、このシーンに属するコンテンツであってユーザが選択したコンテンツの情報を登録情報として記憶するため、登録情報に確実にユーザの嗜好が反映され、多数のシーンおよびコンテンツの中からユーザの好みに合うものだけを含むユーザ独自のウェブサイトを構築することができる。
【００３６】
また、本発明によれば、各表題データとユーザが詳細な内容の取得を希望する表題に対応付けられた詳細データと含むページのデータを携帯端末装置へ送信するため、装置の小型化に伴って画面サイズが制約される携帯端末装置に対しても、利便性が高いポータルサイトを提供することができる。
【発明を実施するための最良の形態】
【００３７】
以下、本発明の一実施の形態について、図面を参照して詳細に説明する。
【００３８】
図１は、本発明の一実施の形態に係るコンテンツ提供システムを含む通信システムの概略構成を示すブロック図である。同図に示すコンテンツ提供システムは、ウェブサーバ装置１００およびデータ蓄積サーバ装置２００の２つのサーバ装置を有しており、このうち、ウェブサーバ装置１００がネットワーク３１０に接続されている。そして、ネットワーク３１０には、基地局装置３２０が接続されており、基地局装置３２０と携帯電話３３０が無線通信を行っている。
【００３９】
ウェブサーバ装置１００は、携帯電話３３０のユーザのポータルサイトへのログイン用のユーザＩＤや所望のリンク指定などを含むユーザ情報を基地局装置３２０およびネットワーク３１０を介して取得すると、ユーザ情報に応じたポータルサイトのデータの生成をデータ蓄積サーバ装置２００へ依頼する。
【００４０】
データ蓄積サーバ装置２００は、ウェブサーバ装置１００からデータの生成を依頼されると、ユーザＩＤに対応して登録されているユーザごとの登録情報を参照し、ユーザごとに異なるコンテンツを含むデータを生成し、ウェブサーバ装置１００へ出力する。
【００４１】
そして、ウェブサーバ装置１００は、データ蓄積サーバ装置２００から出力されたデータを所定のテンプレートに配置し、ネットワーク３１０および基地局装置３２０を介して携帯電話３３０へ送信する。これにより、ユーザは、携帯電話３３０に表示されたユーザ独自のポータルサイトを閲覧したり、リンクを辿って他のウェブサイトを閲覧したりすることができる。
【００４２】
図２は、本実施の形態に係るウェブサーバ装置１００およびデータ蓄積サーバ装置２００の要部構成を示すブロック図である。同図に示すように、ウェブサーバ装置１００は、受信部１０１、ユーザ情報出力部１０２、送信データ取得部１０３、テンプレート設定部１０４、および送信部１０５を有している。
【００４３】
受信部１０１は、携帯電話３３０のユーザが送信したユーザ情報をネットワーク３１０から受信する。ユーザ情報には、ポータルサイトにおけるログイン用のユーザＩＤや、ユーザが閲覧を希望するコンテンツのリンク指定に関する情報など、ユーザが携帯電話３３０を操作して送信する情報が含まれている。
【００４４】
ユーザ情報出力部１０２は、受信部１０１によって受信されたユーザ情報をデータ蓄積サーバ装置２００へ出力する。具体的には、ユーザ情報出力部１０２は、ユーザＩＤ、ユーザがポータルサイトのカスタマイズを希望する旨の情報、ユーザがポータルサイトにおいてシーン切替を希望する旨の情報、およびユーザが閲覧を希望するシーンやコンテンツの情報などをデータ蓄積サーバ装置２００へ出力する。
【００４５】
なお、シーンとは、同一カテゴリのコンテンツを集めて構成されるものであり、例えば国内ニュース、海外ニュース、および芸能ニュースなどのコンテンツから「ニュース」という１つのシーンが構成される。他にも、例えばメール、スケジュール、およびアドレス帳などユーザの個人データに関するコンテンツから「プライベートシーン」という１つのシーンが構成される。これらのシーンは、ポータルサイトを提供する事業者があらかじめ設定するコンテンツの集合である。すなわち、事業者は、自社がポータルサイト用に用意している複数のコンテンツを任意の方法で分類し、分類されたコンテンツそれぞれの集合をシーンとして名称等を決定しておく。
【００４６】
送信データ取得部１０３は、データ蓄積サーバ装置２００がユーザ情報に応じて生成したデータを取得する。このデータは、ユーザ独自のポータルサイトにおいて、ユーザが閲覧を希望したシーンやコンテンツのデータである。
【００４７】
テンプレート設定部１０４は、送信データ取得部１０３によって取得されたデータにポータルサイトのテンプレートを適用し、シーンやコンテンツのデータをテンプレートの所定の位置に配置する。そして、テンプレート設定部１０４は、ページ構成なども含めたポータルサイトのページデータを送信部１０５へ出力する。
【００４８】
送信部１０５は、テンプレート設定部１０４から出力されたページデータをネットワーク３１０および基地局装置３２０を介して携帯電話３３０へ送信する。
【００４９】
また、図２に示すデータ蓄積サーバ装置２００は、登録情報取得部２０１、登録情報データベース２０２ａおよびコンテンツデータベース２０２ｂを記憶する記憶部２０２、シーン一覧データ生成部２０３、コンテンツ収集部２０４、表題データ生成部２０５ａおよび詳細データ生成部２０５ｂを有するシーン別データ生成部２０５、および出力制御部２０６を有している。
【００５０】
登録情報取得部２０１は、ウェブサーバ装置１００からユーザ情報が出力されると、ユーザ情報に含まれるユーザＩＤを確認し、ユーザＩＤに対応して記憶部２０２の登録情報データベース２０２ａに登録されている登録情報を取得する。登録情報には、ユーザＩＤごとに表示選択されたシーンやカラーなど、ユーザごとのポータルサイトのカスタマイズに関する情報が含まれている。
【００５１】
記憶部２０２は、ユーザＩＤごとの登録情報や、各ユーザへ提供するコンテンツを記憶している。具体的には、記憶部２０２は、登録情報データベース２０２ａおよびコンテンツデータベース２０２ｂを有している。
【００５２】
登録情報データベース２０２ａは、ユーザが独自のポータルサイトに表示するよう選択したシーンやコンテンツ、およびポータルサイトのデザインやカラーなどの登録情報をユーザＩＤに対応付けて記憶している。
【００５３】
コンテンツデータベース２０２ｂは、ユーザに提供するコンテンツを記憶している。本実施の形態においては、コンテンツデータベース２０２ｂは、全ユーザに共通して提供されるニュースや天気などのコンテンツの他、ユーザごとに異なるメールやスケジュールなどのコンテンツも記憶しているものとする。ただし、コンテンツデータベース２０２ｂに記憶されるコンテンツの量は膨大となるため、例えば外部の複数のデータベースにコンテンツを分散して記憶するようにしても良い。
【００５４】
シーン一覧データ生成部２０３は、ユーザ情報にシーン切替を希望する旨の情報が含まれている場合、登録情報取得部２０１によって取得された登録情報から、ユーザが独自のポータルサイトに表示するよう選択したシーンの一覧を示すデータを生成する。すなわち、例えばユーザが「ニュース」、「オークション」、および「ファイナンス」のシーンをポータルサイトに表示するよう選択している場合は、これらのシーンが選択されていることがユーザの登録情報に格納されており、シーン一覧データ生成部２０３は、「ニュース」、「オークション」、および「ファイナンス」のシーン名を携帯電話３３０に表示するシーン一覧データを生成する。
【００５５】
シーン一覧データにおいては、表示されるシーン名の各々にシーンへのリンクが張られており、各シーン名がユーザによって選択されることにより、携帯電話３３０に表示されるシーンが切り替えられ、ユーザは、様々なシーンに含まれるコンテンツの閲覧が可能となる。この処理を行うため、シーン一覧データ生成部２０３は、生成したシーン一覧データを出力制御部２０６へ出力する。
【００５６】
コンテンツ収集部２０４は、ユーザ情報に閲覧を希望するシーンやコンテンツの情報が含まれている場合、シーンに含まれるコンテンツやユーザが指定するコンテンツをコンテンツデータベース２０２ｂから収集し、シーン別データ生成部２０５へ出力する。すなわち、例えばユーザがシーン一覧データにおいて「ニュース」のシーンへの切り替えを選択した場合、コンテンツ収集部２０４は、国内ニュース、海外ニュース、および芸能ニュースなどのコンテンツをコンテンツデータベース２０２ｂから収集する。
【００５７】
シーン別データ生成部２０５は、コンテンツ収集部２０４によって収集されたコンテンツを用いて表題データおよび詳細データを含むシーン別のデータを生成し、出力制御部２０６へ出力する。具体的には、シーン別データ生成部２０５は、表題データ生成部２０５ａおよび詳細データ生成部２０５ｂを有している。
【００５８】
表題データ生成部２０５ａは、コンテンツ収集部２０４によって収集されたコンテンツの表題を携帯電話３３０に表示する表題データを生成する。すなわち、表題データ生成部２０５ａは、例えば「ニュース」のシーンにおいては国内ニュース、海外ニュース、および芸能ニュースなどの表題を含む表題データを生成する。また、表題データ生成部２０５ａは、各表題に対応する詳細データの表示・非表示の切り替え用に、表題データの各表題に所定のマークを付加する。具体的には、例えば表題の先頭に＋マークを付加しておき、携帯電話３３０において、＋マークが選択されると＋マークが−マークへ変化するとともに、この表題に対応する詳細データが表示され、再び−マークが選択されると−マークが＋マークへ変化するとともに、この表題に対応する詳細データが非表示となるようにしておく。
【００５９】
詳細データ生成部２０５ｂは、コンテンツ収集部２０４によって収集されたコンテンツの詳細な内容を携帯電話３３０に表示する詳細データを、表題データにおける表題ごとに生成する。すなわち、詳細データ生成部２０５ｂは、例えば国内ニュースの具体的な見出しや内容などを含む詳細データを国内ニュースという表題に対応付けて生成する。
【００６０】
なお、上記では、「ニュース」のシーンを例に挙げて表題データと詳細データを説明したが、表題データと詳細データの関係は、他のシーンにおいても様々に設定することができる。すなわち、例えばユーザの個人情報を管理する「プライベートシーン」のシーンでは、メールの受信箱やスケジュールなどの表題を含む表題データが生成され、個々のメールや予定の内容は詳細データとして生成される。
【００６１】
出力制御部２０６は、シーン一覧データ生成部２０３によって生成されたシーン一覧データおよびシーン別データ生成部２０５によって生成されたシーン別データをユーザ情報におけるユーザの希望に応じてウェブサーバ装置１００へ出力する。すなわち、出力制御部２０６は、ユーザがシーンの切り替えを希望していれば、シーン一覧データをウェブサーバ装置１００へ出力し、ユーザが特定のシーンやコンテンツの閲覧を希望していれば、表題データや詳細データをウェブサーバ装置１００へ出力する。このとき、出力制御部２０６は、例えば上述した＋マークや−マークに関するユーザの選択に応じて表題データや詳細データの出力を制御する。
【００６２】
次いで、上記のように構成されたコンテンツ提供システムの動作について、図３に示すフロー図を参照しながら、具体的に例を挙げて説明する。
【００６３】
まず、ユーザが携帯電話３３０を操作して、ポータルサイトのログイン用のユーザＩＤや閲覧を希望するコンテンツへのリンクを指定する旨などを含むユーザ情報を送信する。送信されたユーザ情報は、基地局装置３２０およびネットワーク３１０を介してウェブサーバ装置１００の受信部１０１によって受信される（ステップＳ１０１）。受信されたユーザ情報は、ユーザ情報出力部１０２によって、データ蓄積サーバ装置２００の登録情報取得部２０１および出力制御部２０６へ出力される。
【００６４】
そして、登録情報取得部２０１によって、ユーザが独自のポータルサイトのカスタマイズを希望しているか否かがユーザ情報から判断され（ステップＳ１０２）、カスタマイズを希望していれば（ステップＳ１０２Ｙｅｓ）、ユーザ情報に含まれるユーザＩＤに対応する登録情報が登録情報データベース２０２ａから取得される。
【００６５】
登録情報取得部２０１によって取得された登録情報は、シーン一覧データ生成部２０３および出力制御部２０６を経由して、ウェブサーバ装置１００の送信データ取得部１０３へ出力される。そして、登録情報は、テンプレート設定部１０４によって、カスタマイズ画面用のテンプレート上に配置され、送信部１０５によって、ネットワーク３１０および基地局装置３２０を介して携帯電話３３０へ返信される（ステップＳ１０３）。
【００６６】
ユーザは、携帯電話３３０に表示されるカスタマイズ画面を確認しながら、登録情報において希望する変更を入力操作し、この変更情報を携帯電話３３０から基地局装置３２０およびネットワーク３１０を経由してウェブサーバ装置１００へ送信する。変更情報は、受信部１０１によって取得され（ステップＳ１０４）、ユーザ情報出力部１０２からデータ蓄積サーバ装置２００へ出力される。そして、登録情報取得部２０１によって、登録情報データベース２０２ａに変更情報が反映され、登録情報が更新される（ステップＳ１０５）。
【００６７】
同時に、変更情報に係るシーンまたはコンテンツがシーン一覧データ生成部２０３を経由してコンテンツ収集部２０４へ通知され、コンテンツ収集部２０４によって、変更されたコンテンツが収集される。収集されたコンテンツからシーン別データ生成部２０５によって表題データおよび詳細データが生成されることにより、ユーザによる登録情報の更新が反映されたページのデータが生成される（ステップＳ１０６）。このデータは、出力制御部２０６からウェブサーバ装置１００へ出力され、テンプレート設定部１０４によってテンプレート上に配置され（ステップＳ１０７）、送信部１０５から送信される（ステップＳ１０８）。こうして、ユーザは、カスタマイズしたページを携帯電話３３０によって閲覧し、変更が反映されたことを確認することができる。
【００６８】
一方、携帯電話３３０から送信されたユーザ情報にカスタマイズ希望の旨が含まれていなければ（ステップＳ１０２Ｎｏ）、ユーザ情報に含まれるユーザＩＤに対応する登録情報が登録情報データベース２０２ａから取得され（ステップＳ１０９）、シーン一覧データ生成部２０３へ出力される。ここで、登録情報データベース２０２ａには、例えば図４に示すように、ユーザＩＤと各ユーザが独自のポータルサイトに表示するよう選択した選択シーンや選択コンテンツなどの登録情報とが対応付けられて記憶されている。登録情報としては、他にも各シーンやコンテンツの表示色やページ配置などが含まれる。これらは、上述したカスタマイズによりユーザが登録している。
【００６９】
本実施の形態においては、例えば図５に示すように、ポータルサイトに表示可能な多くのコンテンツを同種のものごとにまとめたシーンが数多く用意されている。そして、数多くのシーンの中から各ユーザが独自のポータルサイトに表示させるシーンを選択する。このため、すべてのコンテンツを同時に表示させるのではなく、コンテンツをシーンごとにまとめて携帯電話３３０に表示させることが可能となり、画面サイズが制約されている携帯電話３３０においても、画面サイズに比して表示される情報量が過大となることがなく、ポータルサイトの視認性が低下することがない。なお、各シーンに属するコンテンツは、それぞれ表示・非表示をユーザが選択するようにしても良い。
【００７０】
具体的には、例えば図４に示したユーザＩＤ「ａｂｘ１２３４」のユーザは、プライベートシーンおよびニュースを選択シーンとしているため、このユーザは、「プライベートシーン」および「ニュース」のシーンに含まれるコンテンツをそれぞれのシーンごとに閲覧することになる。このため、ユーザ独自のポータルサイトは、膨大なコンテンツを含んでいるものの、携帯電話３３０に一度に表示されるのは１つのシーンに含まれるコンテンツのみとなり、携帯電話３３０の小さい画面サイズでも利便性を損なうことなくコンテンツの閲覧が可能となる。
【００７１】
再度動作の説明に戻って、登録情報がシーン一覧データ生成部２０３へ出力されると、ユーザ情報にシーン切替を希望する旨の情報が含まれているか否かが判断され（ステップＳ１１０）、シーン切替が希望されていれば（ステップＳ１１０Ｙｅｓ）、登録情報に含まれる選択シーンのシーン名を一覧可能なシーン一覧データが生成される（ステップＳ１１１）。なお、ユーザ情報にシーン切替を希望する旨の情報が含まれているか否かは、例えば携帯電話３３０において図６−１のような画面が表示されている場合に、ユーザがリンク４０１を選択したか否かを判断することによって把握される。
【００７２】
シーン一覧データ生成部２０３によって生成されたシーン一覧データには、各々のシーンのページへのリンクに関する情報が含まれている。シーン一覧データは、出力制御部２０６へ出力され、出力制御部２０６はシーン切替が希望されていることをユーザ情報から把握しているため、シーン一覧データをウェブサーバ装置１００へ出力する。
【００７３】
出力されたシーン一覧データは、送信データ取得部１０３によって送信データとして取得され、テンプレート設定部１０４によってテンプレート上に配置され（ステップＳ１０７）、送信部１０５から送信される（ステップＳ１０８）。こうして、携帯電話３３０にシーン一覧データが受信され、例えば図６−２に示すようなシーン一覧データが表示される。ユーザは、シーン一覧データの領域４０２におけるリンクのいずれかを選択することにより、切り替え先のシーンを指定するユーザ情報を送信する。
【００７４】
このようなシーンを指定するユーザ情報や同一シーン内の異なるコンテンツを指定するユーザ情報などが携帯電話３３０から送信された場合、シーン一覧データ生成部２０３によって、シーン切替が希望されていないと判断され（ステップＳ１１０Ｎｏ）、選択中のシーンがコンテンツ収集部２０４へ通知される。そして、コンテンツ収集部２０４によって、通知されたシーンに含まれるコンテンツがコンテンツデータベース２０２ｂから収集される（ステップＳ１１２）。このとき、登録情報において、シーン内の表示させるコンテンツが選択されて登録されている場合は、登録されているコンテンツのみが収集される。
【００７５】
収集されたコンテンツは、シーン別データ生成部２０５へ出力され、シーン別データ生成部２０５内の表題データ生成部２０５ａによって、収集されたコンテンツの表題データが生成される（ステップＳ１１３）。表題データは、実際のコンテンツの中身である詳細データと対応付けられており、各々の表題の先頭には対応する詳細データへリンクする所定のマークが付加されている。具体的には、例えば図７−１に示すように、表題データの表題である「受信箱」や「予定一覧」の先頭に＋マーク４０３が付加されている。この＋マーク４０３は、各表題には詳細データが対応付けられていることを示している。
【００７６】
表題データ生成部２０５ａによって表題データが生成されると、詳細データ生成部２０５ｂによって、各表題に対応する詳細データが生成される（ステップＳ１１４）。詳細データは、表題データの各表題に付加された所定のマークがユーザによって選択された場合に携帯電話３３０に表示されることになる。具体的には、例えば図７−１の「受信箱」の表題に付加された＋マーク４０３が選択された場合、携帯電話３３０においては、「受信箱」に対応付けられた詳細データ、すなわち実際の受信メールの内容が図７−２に示す領域４０４に表示され、同時に、「受信箱」の表題に付加されたマークが−マーク４０５に変化する。
【００７７】
本実施の形態においては、上述のように各シーンのコンテンツを表題データと詳細データに分け、必要に応じて詳細データの表示・非表示が切り替えられるようになっている。したがって、ユーザは、携帯電話３３０の小さい画面サイズでも、必要な詳細データのみを閲覧すると同時に、より多くのコンテンツの表題を閲覧することが可能となる。このため、ユーザが見たい情報を携帯電話３３０で閲覧するために、画面をスクロールさせる操作などの必要が最小限に抑制され、利便性がさらに向上する。
【００７８】
上述のようにして生成された表題データおよび詳細データは、出力制御部２０６へ出力され、出力制御部２０６によって、ユーザ情報におけるユーザの指定が考慮されて表題データおよび詳細データがウェブサーバ装置１００へ出力される。すなわち、例えばユーザが図７−１における＋マーク４０３を選択した旨のユーザ情報が取得されていれば、出力制御部２０６によって、「プライベートシーン」に含まれるコンテンツの表題データと、「受信箱」の表題に対応付けられた詳細データ（すなわち、受信メールのデータ）とがウェブサーバ装置１００へ出力される。このとき、ユーザがシーン切替を希望していなくても、携帯電話３３０の画面の一部に常にシーン一覧データが表示されるように、シーン一覧データ生成部２０３によって生成されるシーン一覧データが出力制御部２０６によってウェブサーバ装置１００へ出力されるようにしても良い。
【００７９】
出力された表題データおよび詳細データは、送信データ取得部１０３によって送信データとして取得され、テンプレート設定部１０４によってテンプレート上に配置され（ステップＳ１０７）、送信部１０５から送信される（ステップＳ１０８）。こうして、携帯電話３３０に表題データおよび詳細データが受信され、例えば図７−１および図７−２に示したような表題データおよび詳細データからなるコンテンツが表示される。そして、ユーザは、所望のコンテンツを閲覧し、必要に応じて表題データに付加された所定のマークを選択したり、シーン切替のリンクを選択したりして、所望のシーンまたはコンテンツの閲覧を希望する旨のユーザ情報を送信する。
【００８０】
以上のように、本実施の形態によれば、多数のコンテンツを同種のものごとにシーンとしてまとめ、携帯電話にユーザ独自のポータルサイトを表示させる際には、シーンごとのコンテンツを表示させるとともに、ユーザがシーンの切り替えを希望すれば、シーン一覧を表示させてシーンを切り替える。また、各シーン内においては、コンテンツを表題データと詳細データに分け、ユーザが選択した表題データに対応する詳細データのみを表示させる。このため、画面サイズが小さくてもユーザが必要な情報を効率良く表示させることができ、画面サイズが制約されている場合でも利便性が高いポータルサイトを提供することができる。
【００８１】
なお、上記一実施の形態においては、携帯端末装置の代表として携帯電話を例に挙げて説明したが、本発明は、例えばＰＤＡ（Personal Data Assistant）などのように装置の小型化に伴ってディスプレイなどの表示部のサイズに制約がある携帯端末装置などにコンテンツを提供する場合に適用することができる。
【００８２】
また、上記一実施の形態における表題データおよび詳細データは、必ずしもすべてのコンテンツに関して生成されるわけではなく、コンテンツの内容が階層化可能な場合にのみ表題データと詳細データが生成される。したがって、階層化不可能なコンテンツに関しては、常に詳細データのみ（または表題データのみ）が生成され、携帯電話３３０に表示されるようにしても良い。
【００８３】
さらに、上記一実施の形態においては、ウェブサーバ装置１００およびデータ蓄積サーバ装置２００の２つの装置からなるコンテンツ提供システムによって携帯電話３３０へコンテンツが提供されるものとしたが、本発明はこの構成に限定されず、例えば１つの装置や３つ以上の装置からなるコンテンツ提供システムから上述したようなコンテンツが提供されるようにしても良い。
【００８４】
また、上記一実施の形態において、コンテンツ提供処理をコンピュータ（ウェブサーバ装置１００およびデータ蓄積サーバ装置２００）上で実現する場合について説明したが、コンテンツ提供処理を実現するためのプログラムをコンピュータ読み取り可能な記録媒体に記録して、この記録媒体に記録されたプログラムをコンピュータに読み込ませ、実行することによりコンテンツ提供処理を実現しても良い。
【００８５】
図８は、コンテンツ提供処理を実現するコンピュータ５００のハードウェア構成を示すブロック図である。図８に示すように、このコンピュータ５００は、上記プログラムを実行するＣＰＵ５１０と、データを入力する入力装置５２０と、各種データを記憶するＲＯＭ５３０と、演算パラメータ等を記憶するＲＡＭ５４０と、コンテンツ提供処理を実現するためのプログラムを記録した記録媒体６００からプログラムを読み取る読取装置５５０と、ディスプレイ等の出力装置５６０と、ネットワーク７００を介して他のコンピュータとの間でデータの授受をおこなうネットワークインターフェース５７０とが、バス５８０で接続された構成となっている。
【００８６】
ＣＰＵ５１０は、読取装置５５０を経由して記録媒体６００に記録されているプログラムを読み込んだ後、プログラムを実行することにより、コンテンツ提供処理を実現する。なお、記録媒体６００としては、光ディスク、フレキシブルディスク、ＣＤ−ＲＯＭ、ハードディスク等が挙げられる。また、このプログラムは、ネットワーク７００を介してコンピュータ５００に導入することとしても良い。
【産業上の利用可能性】
【００８７】
本発明は、画面サイズが制約されている場合でも利便性が高いポータルサイトを提供する場合に適用することができる。
【図面の簡単な説明】
【００８８】
【図１】一実施の形態に係る通信システムの概略構成を示すブロック図である。
【図２】一実施の形態に係るウェブサーバ装置およびデータ蓄積サーバ装置の要部構成を示すブロック図である。
【図３】一実施の形態に係るコンテンツ提供動作を示すフロー図である。
【図４】一実施の形態に係る登録情報の一例を示す図である。
【図５】一実施の形態に係るシーンとコンテンツの関係の一例を示す図である。
【図６−１】一実施の形態に係る携帯電話の表示例を示す図である。
【図６−２】一実施の形態に係る携帯電話の他の表示例を示す図である。
【図７−１】一実施の形態に係る表題データの表示例を示す図である。
【図７−２】一実施の形態に係る詳細データの表示例を示す図である。
【図８】コンテンツ提供処理を実現するコンピュータのハードウェア構成を示すブロック図である。
【符号の説明】
【００８９】
１０１  受信部
１０２  ユーザ情報出力部
１０３  送信データ取得部
１０４  テンプレート設定部
１０５  送信部
２０１  登録情報取得部
２０２  記憶部
２０２ａ  登録情報データベース
２０２ｂ  コンテンツデータベース
２０３  シーン一覧データ生成部
２０４  コンテンツ収集部
２０５  シーン別データ生成部
２０５ａ  表題データ生成部
２０５ｂ  詳細データ生成部
２０６  出力制御部
５１０  ＣＰＵ
５２０  入力装置
５３０  ＲＯＭ
５４０  ＲＡＭ
５５０  読取装置
５６０  出力装置
５７０  ネットワークインターフェース
５８０  バス
【図１】
0004727496.tif 000002
【図２】
0004727496.tif 000003
【図３】
0004727496.tif 000004
【図４】
0004727496.tif 000005
【図５】
0004727496.tif 000006
【図６−１】
0004727496.tif 000007
【図６−２】
0004727496.tif 000008
【図７−１】
0004727496.tif 000009
【図７−２】
0004727496.tif 000010
【図８】
0004727496.tif 000011